(57)【要約】【課題】表示部の一部に固定表示を行う場合にも、固定表示部分の焼き付きを防止することができる有機ＥＬ表示装置、及びその表示制御方法を提供する。【解決手段】表示部中に固定表示を行う副表示部分２２を有する有機エレクトロルミネッセンス表示装置の表示制御方法であって、副表示部分２２の１主画素３０中に複数の副画素３１を有し、画像表示は主画素単位で行い、表示を行う各主画素３０を構成する副画素３１のうちの少なくとも１副画素３１を所定のタイミングで非点灯制御する。【選択図】　　　図３
2004145176.tif 000002
【特許請求の範囲】
【請求項１】
表示部中に固定表示を行う副表示部分を有する有機エレクトロルミネセンス表示装置の表示制御方法であって、
副表示部分の１主画素中に複数の副画素を有し、画像表示は主画素単位で行い、表示を行う各主画素を構成する副画素のうちの少なくとも１副画素を所定のタイミングで非点灯制御することを特徴とする有機エレクトロルミネセンス表示装置の表示制御方法。
【請求項２】
表示部中に固定表示を行う副表示部分を有する有機エレクトロルミネセンス表示装置であって、
副表示部分の画像表示を行う各主画素が、点灯・非点灯制御可能な複数の副画素により構成されていることを特徴とする有機エレクトロルミネセンス表示装置。
【発明の詳細な説明】
【０００１】
【発明の属する技術分野】
本発明は、映像等を表示する表示デバイスや光源として利用される有機エレクトロルミネセンス表示装置、及びその表示制御方法に関する。
【０００２】
【従来の技術】
近年、有機エレクトロルミネセンス（以下、「有機ＥＬ」という。）に関する研究が進み、有機ＥＬの特性を利用して携帯電話や車載テレビなどの映像表示媒体としての開発が進められている。特に、有機ＥＬを用いた表示装置は、消費電力が低く、画面の厚さを薄くできるため、将来様々な映像表示装置として期待されている。
【０００３】
有機ＥＬは、長時間に渡って固定画像を表示し続けると有機ＥＬ素子の劣化により所定部分の輝度が劣化し、その度合いに応じて色の再現性が悪くなるという所謂焼き付き現象を生じる。そのため、上記焼き付きを防止するための対策が必要となる。
【０００４】
上記対策として、特開平６−３３２４１８号公報（特許文献１）においては、静止画と動画を判別して、静止画の検出信号の継続時間をカウントし、継続時間が基準時間を超えたときは所定の信号を出力し、電源オフする技術が開示されている。また、特開平５−６１４２６号公報（特許文献２）においては、一定時間画面内容が変化しない場合、自動的に明るさを低下する技術が開示されている。
さらに、特開平８−１７９７２３号公報（特許文献３）においては、一画面内の平均輝度によって、一定時間間隔で表示開始位置を変更する技術を開示している。
【０００５】
【特許文献１】
特開平６−３３２４１８号公報
【特許文献２】
特開平５−６１４２６号公報
【特許文献３】
特開平８−１７９７２３号公報
【０００６】
【発明が解決しようとする課題】
しかしながら、これらの焼き付き防止対策によると、ディジタルカメラ等において、撮影画像の表示部の一部にモードや日付等の固定表示を行う場合に、固定表示部分と撮影画像表示部分との制御の切り分けができないと、固定表示部分の焼き付きを防止することが困難となる。
【０００７】
本発明は、上記の課題に鑑みて創案されたものであり、その目的は、表示部の一部に固定表示を行う場合にも、固定表示部分の焼き付きを防止することができる有機ＥＬ表示装置、及びその表示制御方法を提供することにある。
【０００８】
【課題を解決するための手段】
上記課題を解決するための解決手段は以下の通りである。
【０００９】
〔解決手段１〕　表示部中に固定表示を行う副表示部分を有する有機エレクトロルミネセンス表示装置の表示制御方法であって、
副表示部分の１主画素中に複数の副画素を有し、画像表示は主画素単位で行い、表示を行う各主画素を構成する副画素のうちの少なくとも１副画素を所定のタイミングで非点灯制御することを特徴とする有機エレクトロルミネセンス表示装置の表示制御方法。
【００１０】
〔解決手段２〕　複数の間引きモードを記憶する記憶部を有し、該記憶部から所定のタイミングで間引きモードを読み出して切り替えることで、表示を行う各主画素を構成する副画素のうちの点灯する副画素を変更することを特徴とする解決手段１に記載の有機エレクトロルミネセンス表示装置の表示制御方法。
【００１１】
〔解決手段３〕　前記間引きモードとは、表示部の走査方向と走査方向に垂直な方向との少なくとも一方向において、副画素を所定数の画素おきに点灯させるモードであることを特徴とする解決手段２に記載の有機エレクトロルミネセンス表示装置の表示制御方法。
【００１２】
〔解決手段４〕　前記所定のタイミングとは、一定時間の経過毎であることを特徴とする解決手段１から３のいずれかに記載の有機エレクトロルミネセンス表示装置の表示制御方法。
【００１３】
〔解決手段５〕　前記所定のタイミングとは、一定の走査回数毎であることを特徴とする解決手段１から３のいずれかに記載の有機エレクトロルミネセンス表示装置の表示制御方法。
【００１４】
〔解決手段６〕　各主画素を構成する副画素が光の３原色により構成されていることを特徴とする解決手段１から５のいずれかに記載の有機エレクトロルミネセンス表示装置の表示制御方法。
【００１５】
〔解決手段７〕　表示部中に固定表示を行う副表示部分を有する有機エレクトロルミネセンス表示装置であって、
副表示部分の画像表示を行う各主画素が、点灯・非点灯制御可能な複数の副画素により構成されていることを特徴とする有機エレクトロルミネセンス表示装置。
【００１６】
〔解決手段８〕　各主画素を構成する副画素が光の３原色により構成されていることを特徴とする解決手段７に記載の有機エレクトロルミネセンス表示装置。
【００１７】
【発明の実施の形態】
以下、本発明の実施の形態を図面に基づいて詳細に説明するが、本発明は本実施形態に限るものではない。
【００１８】
図１は、デジタルカメラの外観を示す背面図である。図１において、１０が有機ＥＬ表示装置の表示部であり、１１が撮影モード表示ボタン、１２がモード表示変更ボタンである。
【００１９】
図２は、有機ＥＬ表示装置の表示部の詳細を示す説明図である。この表示部は、横３２０画素×縦２４０画素で構成される。図２において、２１が撮影映像、２２が撮影モード表示部分（固定表示部分）、２３が表示信号の走査方向を示している。撮影モード表示部分（固定表示部分）２２は、使用者が上記撮影モード表示ボタン１１によってモード表示を指定した際に表示される。この撮影モード表示は、有機ＥＬ表示装置の表示部１０中に固定表示される。
【００２０】
図３は、撮影モード表示部分の拡大図である。撮影モード表示部分の画素は、２００ｐｐｉで構成され、３１が副画素であり、３０は４つの副画素３１を一組とした主画素である。撮影モード表示部分の中では、主画素を単位として表示を行うように構成されている。また、撮影モード表示部分中における画素の点灯、非点灯は副画素３１を単位として制御する。
【００２１】
図４は、撮影モード表示部分中における“Ｌ”の文字の表示イメージを示す拡大図である。説明の便宜のため、表示文字のサイズは小さく表わしている。図４において、薄黒く塗りつぶした部分が表示（白表示）する文字である。本発明では、図４のような文字を表示する際、図５（ａ）および図５（ｂ）に示すように、文字を構成する副画素を間引いて表示する。その上で、図５（ａ）および図５（ｂ）の表示の切り替えを行うことで、図４のように常に副画素の全て（４副画素）を表示しているときに比べて、画素寿命が２倍となり、輝度劣化による焼き付きを抑制することができる。
【００２２】
すなわち、本発明の有機ＥＬ表示装置の表示制御方法によれば、映像表示の一部に固定表示をする場合に、その固定表示部分の各主画素を構成する副画素を間引き表示することで、固定表示による焼き付きを防止することが可能となる。
【００２３】
次に、図６および図７のブロック図を用いて、詳細な表示切替について説明する。
【００２４】
図６は、時間管理で間引きモードを切り替える方法に関しての実施形態を示すブロック図である。図６において、撮影モード表示（固定表示）を実施する場合、駆動制御部６１は、画像メモリ６３から図４に示すようなデータを読み出す。
次に、間引きモード記憶部６２から間引きモードを読み出し、まず、図５（ａ）に示すような間引き操作を実施する。そして、ディジタル／アナログ変換（以下、「Ｄ／Ａ変換」という。）６４を通して有機ＥＬ表示装置６０の表示部に図５（ａ）の画像を表示させる。駆動制御部６１は、タイマー６５に従って時間を管理し、一定時間経過（ここでは、６０秒とした。）後、間引きモード記憶部６２から図５（ｂ）に示すような間引きモードを選択して上記と同様に表示する。以上のような操作を繰り返すことで、図５（ａ）および図５（ｂ）の画像が一定時間毎に交互に表示されることになる。
【００２５】
間引きモードに関しては、図５（ａ）（ｂ）のような間引き操作に限定されるものではなく、図８に示すように走査方向に１副画素おきに（図８（ａ））、または走査方向に垂直な方向に１副画素おきに（図８（ｂ））間引いても良い。さらに、４副画素のうち１副画素のみを点灯させても良い。
【００２６】
図７は、走査回数毎に切り替える方法に関しての実施形態を示すブロック図である。図７において、撮影モード表示（固定表示）を実施する場合、駆動制御部７１は、画像メモリ７３から図４に示すようなデータを読み出す。次に、間引きモード記憶部７２から間引きモードを読み出し、まず図５（ａ）に示すような間引き操作を実施する。そして、Ｄ／Ａ変換７４を通して有機ＥＬ表示装置７０の表示部に図５（ａ）の画像を表示させる。駆動制御部７１は、走査回数をカウンタ７５にてカウントし、一定カウント数（ここでは、２４０とした。）経過後、間引きモード記憶部７２から図５（ｂ）に示すような間引きモードを選択して上記と同様に表示する。以上のような操作を繰り返すことで、図５（ａ）および図５（ｂ）の画像が一定走査回数毎に交互に表示されることになる。
【００２７】
間引きモードに関しては、図５（ａ）（ｂ）のような間引き操作に限定されるものではなく、図８に示すように走査方向に１副画素おき、または走査方向に垂直な方向に１副画素おきに間引いても良い。さらに、４副画素のうち１副画素のみを点灯させても良い。
【００２８】
図９は、副画素が光の３原色で構成された画素を示した説明図である。図９において、９０は主画素、９４は副画素であり、副画素９４をレッド９１、グリーン９２、ブルー９３の光の３原色で構成して、カラー表示することも可能である。
【００２９】
また、このような構成を採用すれば、同じ副画素９４内の色を同時に間引くこともできるし、個々の色毎に画像データ間引き操作を制御することで、個々の色毎に制御することも可能である。
【００３０】
【発明の効果】
以上説明したように、本発明によれば、ディジタルカメラ等の撮影画像表示部の一部にモードや日付等の固定表示を行う場合に、固定表示部分の焼き付きを抑制しつつ、撮影画像を表示することができる。
【図面の簡単な説明】
【図１】デジタルカメラの外観を示す背面図である。
【図２】有機ＥＬ表示装置の表示部の詳細を示す説明図である。
【図３】撮影モード表示部分の拡大図である。
【図４】撮影モード表示部分中における“Ｌ”の文字の表示イメージを示す拡大図である。
【図５】間引きモードを実施した画像パターンを示す説明図である。
【図６】時間管理で間引きモードを切り替える方法に関しての実施形態を示すブロック図である。
【図７】走査回数毎に切り替える方法に関しての実施形態を示すブロック図である。
【図８】間引きモードの変形操作例を示す説明図である。
【図９】副画素が光の３原色で構成された画素を示した説明図である。
【符号の説明】
１０　有機ＥＬ表示装置の表示部
１１　撮影モード表示ボタン
１２　モード表示変更ボタン
２１　撮影映像
２２　撮影モード表示部分（固定表示部分）
２３　表示信号の走査方向
３０　主画素
３１　副画素
６０　有機ＥＬ表示装置
６１　駆動制御部
６２　間引きモード記憶部
６３　画像メモリ
６４　Ｄ／Ａ変換
７０　有機ＥＬ表示装置
７１　駆動制御部
７２　間引きモード記憶部
７３　画像メモリ
７４　Ｄ／Ａ変換
９０　主画素
９１　レッド
９２　グリーン
９３　ブルー
９４　副画素
【図１】
2004145176.tif 000003
【図２】
2004145176.tif 000004
【図３】
2004145176.tif 000005
【図４】
2004145176.tif 000006
【図５】
2004145176.tif 000007
【図６】
2004145176.tif 000008
【図７】
2004145176.tif 000009
【図８】
2004145176.tif 000010
【図９】
2004145176.tif 000011